(57)【特許請求の範囲】
【請求項１】
平面視略矩形状で電源スイッチ及び電源コードが取り付けられる加湿器本体と、該加湿器本体に対し着脱自在に取り付けられる水タンクと、蒸気を発生させるボイラーと、前記水タンク内の水を前記ボイラーに送る通水路と、前記ボイラーで発生した蒸気を送る蒸気通路と、蒸気排出口とを有する加湿器において、
蒸気皿の下部にサーモスタットを設け、
前記蒸気排出口を、前記ボイラーの直上位置で、前記加湿器本体の幅広側面部に近い側の前記蒸気通路の端部の直上位置またはそれよりも外側に設けることを特徴とする加湿器。
【請求項２】
前記通水路にフロート式満水検知スイッチを設け、該フロート式満水検知スイッチを満水時に通電をオンさせ、加湿器の転倒時に通電をオフさせることを特徴とする請求項１に記載の加湿器。
【発明の詳細な説明】
【技術分野】
【０００１】
本願発明は、加湿器に関し、特に加湿器転倒時にヒータ等への通電をできるだけ速く且つより確実に行うことのできる安全機構を具備した加湿器に関するものである。
【背景技術】
【０００２】
従来の加湿器を図１２に示す。加湿器１は支持台を兼ねる加湿器本体２の上方に水タンク３および蒸気排出筒４を載置する。加湿器本体２は、水供給部５、通水路６および蒸発皿８等からなるボイラー７を有し、水供給部５に供給される水を通水路６を介してボイラー７に供給する。
【０００３】
蒸発皿８には、ヒータ９が内設され蒸発皿８内の水を加熱し蒸発させる。また、蒸発皿８の底部にはサーモスタット１０に当接される延設部１１が設けられ、蒸発皿８内の水がない時に蒸発皿８が高温度になると、サーモスタット１０は、蒸発皿８の異常高温度を検知して電源コード１４を介してのヒータ９への通電を停止する。
【０００４】
水タンク３は、蓋部に開閉弁を有しており、倒立状態で加湿器本体２に載置する。加湿器本体２に水タンク３を載置すると水タンク３内の水は、加湿器本体２の水供給部５に供給されるとともに、通水路６を経てボイラー７に供給され、ヒータ９で加熱され蒸気化する。ボイラー７で発生する蒸気は、蒸気排出筒４内に形成される蒸気通路１２を経て図１３に示すような複数の蒸気排出口１３より室内に供給され、室内を加湿する。
【０００５】
ところで、加湿器１には、小型で平面視形状も例えば図１３に示すように矩形状で寧ろ縦長のものが出回っている。このような加湿器１は、横から大きな力が加わったり、或いは、人並びに飼い猫、飼い犬等が電源コード１４に引っ掛かると加湿器１が転倒する場合がある。加湿器１が転倒すると蒸発皿８内の水は、蒸気排出口１３より外部に排出され、その結果、蒸発皿８が高温度になりサーモスタット１０がその異常高温度を検知して通電を停止することになる。このように、加湿器１の転倒時に蒸発皿８内の全ての水が排出されれば上記したように安全装置が作動するため問題は生じない（例えば、特許文献１参照）。
【０００６】
ところが、従来の加湿器１の蒸気排出口１３は、円形の蒸気通路１２の上端部に例えば図１３に示すような形態（蒸気排出口１３は加湿器１の傾斜面に設けられているため平面視では楕円状になる。）で複数設けられ、その位置も蒸気通路１２の内周縁である端部より中央よりに設けられている。そのため、加湿器１が転倒すると蒸発皿８内の水の多くは蒸気排出口１３より外部に排出されるが、一部の水は蒸発皿８内に残ることになり、蒸発皿８の温度は上昇するが蒸発皿８内の水が完全に蒸発するまでは通電が停止されず、危険な状態が持続することになる。
【０００７】
また、例え、蒸気排出口１３の形状を加湿器１が転倒した場合に排出し易い位置に設けたとしても、加湿器１の転倒状態は最大でも水平状態であるため、水の排出速度は徐々に遅くなり最後の水が排出されるまでに時間がかかり、場合によっては一部の水が排出されないことも生じ、通電が停止されず、危険な状態が持続するという問題を有していた。
【特許文献１】特開２００６−８４０７９
【発明の開示】
【発明が解決しようとする課題】
【０００８】
本願発明は、蒸気排出口を加湿器本体の幅広側面部に近い側の蒸気通路の端部に設ける等により、加湿器の転倒時に短時間で且つより確実にヒータへの通電をオフすることができる加湿器を提供することを目的とするものである。
【課題を解決するための手段】
【０００９】
上記目的を達成するため、本願発明は以下の構成を採用する。
【００１０】
請求項１に係る発明では、平面視略矩形状で電源スイッチ及び電源コードが取り付けられる加湿器本体と、該加湿器本体に対し着脱自在に取り付けられる水タンクと、蒸気を発生させるボイラーと、前記水タンク内の水を前記ボイラーに送る通水路と、前記ボイラーで発生した蒸気を送る蒸気通路と、蒸気排出口とを有する加湿器において、蒸気皿の下部にサーモスタットを設け、前記蒸気排出口を、前記ボイラーの直上位置で、前記加湿器本体の幅広側面部に近い側の前記蒸気通路の端部の直上位置またはそれよりも外側に設ける構成。
【００１１】
平面視略矩形状の加湿器の場合、転倒方向は幅広側面部側になるが、蒸気排出口が加湿器本体の幅広側面部に近い側の蒸気通路の端部に設けられているため、加湿器の転倒時、ボイラー内の水は、蒸気通路の端部に設けられる蒸気排出口より短時間に且つより確実に外部に排出され、その結果、短時間に且つより確実にヒータへの通電が停止する。
【００１２】
請求項２に係る発明では、前記通水路にフロート式満水検知スイッチを設け、該フロート式満水検知スイッチを満水時に通電をオンさせ、加湿器の転倒時に通電をオフさせる構成。加湿器には、ボイラーの温度を検知するサーモスタットと並列に、或いはサーモスタットの代わりに通水路にフロート式満水検知スイッチを設けることができるが、このフロート式満水検知スイッチを上記構成にすることにより、加湿器の転倒時にスイッチでもあるフロートが転倒時の衝撃により、通電オフ位置に移動するため、やはり短時間に且つより確実にヒータへの通電が停止する。
【００１３】
また、前記加湿器本体の一方の幅広側面部にシーソースイッチを設け、対向する両幅広側面部の中央垂直面を基準にして、前記シーソースイッチが設けられる領域と反対の領域に前記電源コードを設ける構成。電源コードを上記構成の位置に設けることにより、人等が電源コードを引っ掛けた場合、加湿器はシーソースイッチが設けられる幅広側面部が下になる形態で転倒することになるが、下になる幅広側面部にシーソースイッチが設けられていると、加湿器の重みでシーソースイッチがオフ側に切り換わるため、やはり短時間に且つより確実にヒータへの通電が停止する。また、シーソースイッチにより、転倒時、加湿器は図７で示すような蒸気排出口がボイラーより下方になる形態で傾斜するため、ボイラー内の水はより確実に排出され、サーモスタットでの検知作用が高まる。
【発明の効果】
【００１４】
請求項１に係る発明では、蒸気皿の下部にサーモスタットを設け、蒸気排出口を、ボイラーの直上位置で、加湿器本体の幅広側面部に近い側の蒸気通路の端部の直上位置またはそれよりも外側に設けることにより、加湿器の転倒時、ボイラー内の水を、蒸気通路の端部に設けられる蒸気排出口より短時間に且つより確実に外部に排出することができるため、短時間に且つより確実にヒータへの通電を停止することができ、加湿器の信頼性を高めることができる。
【００１５】
請求項２に係る発明では、通水路にフロート式満水検知スイッチを設け、該フロート式満水検知スイッチを満水時に通電をオンさせ、加湿器の転倒時に通電をオフさせることにより、請求項１に係る発明の効果に加え、フロート式満水検知スイッチにより、より短時間に且つより確実にヒータへの通電を停止することができ、加湿器の信頼性をより高めることができる。
【００１６】
また、加湿器本体の一方の幅広側面部にシーソースイッチを設け、対向する両幅広側面部の中央垂直面を基準にして、シーソースイッチが設けられる領域と反対の領域に電源コードを設け、シーソースイッチにより強制的に通電をオフにするとともに、転倒時に加湿器を水平以上に傾斜させることにより、やはりより短時間に且つより確実にヒータへの通電を停止することができ、加湿器の信頼性をより高めることができる。
【実施例】
【００１７】
図１は加湿器の断面図を示し、図２は側面を示し、図３はその背面を示し、図４は蒸気排出筒の一部平面図で、（Ｂ）は請求項２に対応するものを示し、図５は加湿器転倒時のボイラー内の水が流れ出るのを概略的に示す蒸気排出筒の断面図を示し、図６は蒸気排出筒の他の一部平面図を示し、図７は加湿器の転倒時の状態を正面から見た図を示し、図８〜１１は本願発明のフロート式満水スイッチの拡大断面図をそれぞれ示す。なお、図１の左側面が加湿器の正面、右側面が背面とする。
【００１８】
加湿器２０は、加湿器本体２１に対して着脱自在とされる水タンク２２と、前記加湿器本体２１に設けられ、前記水タンク２２からの水Ｗが供給されるボイラー２３とを備え、該ボイラー２３から発生した蒸気Ｓを外部へ放出させて室内を加湿する基本構成を有している。
【００１９】
前記加湿器本体２１は、上面および側面上部を構成する合成樹脂製の上カバー部材２４と、底面および側面下部を構成する合成樹脂製の下カバー部材２５とからなっており、該上下カバー部材２４、２５は、ボルト装着筒２６に装着される図示しないボルトを介して一体的に結合される。
【００２０】
前記上カバー部材２４の上面には、前記水タンク２２が着脱自在に装着される水供給部２７、前記ボイラー２３、該ボイラー２３と前記水供給部２７とを連通する通水路２８が形成される。
【００２１】
一方、前記水タンク２２は、内部の水位が外部から視認できるように透明な合成樹脂材料からなっており、その給水口２９を下向きとして前記水供給部２７に装着される。該給水口２９は、前記水供給部２７の開口部より若干小さく形成されており、中央部にスプリング３０の付勢力により常閉とされる逆止弁３１を上下摺動自在に支持するキャップ３２が螺着脱自在に取り付けられている。
【００２２】
前記水供給部２７の内底面には、該内底面の中心部に位置して前記水タンク２２の装着時において前記逆止弁３１をスプリング３０の付勢力に抗して押し上げることにより開弁状態となす中心突起３３と、該中心突起３３の回りの同一円周上に位置して前記水タンク２２の装着時において前記キャップ３２に当接される３個の突起３４とが一体に突設されている。該突起３４は、前記中心突起３３より低くされており、水タンク２２の装着時においてそのキャップ３２が突起３４に当接した時、中心突起３３により逆止弁３１が押し上げられる。
【００２３】
水タンク２２が装着されると逆止弁３１が開放し、水タンク２２の水は水供給部２７に流出し、その後通水路２８を介してボイラー２３に供給される。水供給部２７、通水路２８及びボイラー２３の水Ｗが所定量になると水タンク２２内への空気の流入が阻止されるためそれ以上の水の流出が停止される。そして、ボイラー２３により水が使用され量が減ると水タンク２２内へ空気が流入し、空気が流入した分水が流出し、ボイラー２３内の水量をほぼ一定の水位にする。
【００２４】
前記水供給部２７とボイラー２３との間の通水路２８には、水溜め部２８ａが形成されている。そして、この水溜め部２８ａには、前記ボイラー２３側から前記水供給部２７への熱水の逆流を防止する逆流防止手段２８ｂが着脱自在に設けられている。
【００２５】
前記ボイラー２３は、水供給部２７から通水路２８を介して供給された水Ｗを収容する蒸気皿３５と、該蒸気皿３５の下部の熱盤３５ａと、該熱盤３５ａに内設され蒸気皿３５に収容された水Ｗを加熱する加熱手段として作用する電気ヒータ３６と、前記蒸気皿３５の上部に着脱自在に装着される蒸気排出筒３７とからなっている。
【００２６】
前記熱盤３５ａの下部には、延設部３８が一体に形成されており、該延設部３８には、空焚き状態時に熱盤３５ａの温度が異常上昇した時、該温度を検知して電気ヒータ３６への通電をオフするサーモスタット３９が設けられている。サーモスタット３９の上方には、サーモスタット３９をリセットするためのリセットスイッチ４０が、前記上カバー部材２４の正面に上下摺動可能に取り付けられている。
【００２７】
前記蒸気排出筒３７は、図５にその断面を示すように加湿器本体２１の外郭を形成するカバー部３７ａと、該カバー部３７ａの下面から一体に垂設される筒部３７ｂとからなっており、前記カバー部３７ａは、上カバー部材２４とで連続した傾斜面となる円弧状を有しており、その略中央には図４（Ａ）に示すように下方にお椀状に窪んだ略楕円形状の凹部４３が形成される（傾斜面に形成されるため）とともに、その凹部４３の中央部には６個の従来からの中央側蒸気排出口４１ａと本願発明の２個の端部側蒸気排出口４１が形成されている。
【００２８】
なお、蒸気排出筒３７は、加湿器２０の作動時にはボイラー２３との熱を受け熱膨張し、上カバー部材２４から外れないように形成される。蒸気排出筒３７をこのような形態で形成することにより、作動時に加湿器２０が転倒しても蒸気排出筒３７が外れることはないため該蒸気排出筒３７が外れボイラー２３内の熱湯が回りに飛び散り人が火傷等する弊害が防止される。
【００２９】
前記筒部３７ｂは、蒸気皿３５と同径にされ、蒸気皿３５の上方より挿入され、挿入後においては筒部３７ｂの下端部は蒸気皿３５の上端部に当接し、且つ、筒部３７ｂ上部のカバー部３７ａは上カバー部材２４とで図１にその概略を示すように連続した傾斜面を形成する。蒸気排出筒３７が挿入されると蒸気皿３５と筒部３７ｂとで蒸気通路４２を形成し、ボイラー２３で発生する蒸気Ｓは図１で示すように蒸気通路４２を上昇し、複数の蒸気排出口４１、４１ａより排出される。
【００３０】
蒸気排出口について説明する。上述したように蒸気排出筒３７のカバー部３７ａの凹部４３には、複数の中央側蒸気排出口４１ａと端部側蒸気排出口４１が設けられる。中央側蒸気排出口４１ａは、破線の楕円で示す（実際には円であるが傾斜面を上方より見るため）蒸気通路４２の端部より中央部に設けられる略同円形の６個の排出口であり、従来はこれらの排出口より蒸気が室内に供給されていた。
【００３１】
端部側蒸気排出口４１は、本願発明の排出口であり、破線の楕円で示す蒸気通路４２の端部であって、平面視略矩形状の加湿器２０の両幅広側面部側にそれぞれ設けられる略同円形の２個の蒸気排出口である。平面視略矩形状の加湿器２０が倒れる方向はほとんど幅広側面部側であり、加湿器２０が倒れた場合、どちらかの幅広側面部側が下になる形態になる。なお、この実施例では蒸気通路４２とボイラー２３の外径は同じで、上下方向に一直線上に配置されるため、端部側蒸気排出口４１はボイラー２３の外径の直上位置になる。
【００３２】
従来の蒸気排出口は、蒸気通路４２の端部より中央側に設けられていたため、加湿器２０が転倒した場合、ボイラー２３内の水の一部がボイラー２３内或いは蒸気通路４２内にどうしても残り、熱盤３５ａの温度が即座に空炊きの時のように急上昇しないため、いずれ高温度をサーモスタット３９が検知して電気ヒータ３６への通電をオフするとしてもオフまでに時間がかかったり或いは通電がオフしなかったりした。
【００３３】
これに対し、両幅広側面部側の蒸気通路４２の端部に図４（Ａ）に示すように端部側蒸気排出口４１をそれぞれ設けることにより、加湿器２０が転倒した場合、図５に示すように蒸気排出筒３７は水平状態になりボイラー２３内の水Ｗのすべては矢印で示すように蒸気通路４２の壁面より端部側蒸気排出口４１を介して外部に排出されるため、即空炊きの状態になり、電気ヒータ３６への通電オフが短時間で且つより確実に行われるようになる。
【００３４】
図４（Ａ）に示すように端部側蒸気排出口４１を蒸気通路４２の端部、即ち、ボイラー２３の外径の直上位置に設ける場合、その蒸気排出口４１が円形であるとすると、その曲率は蒸気通路４２の円の曲率と異なることになり、ボイラー２３内の水Ｗのすべてが排出されにくくなる。図４（Ｂ）に示すものはそのような弊害をなくするものである。即ち、端部側蒸気排出口４１を蒸気通路４２の端部より外側（幅広側面部側）、即ち、ボイラー２３の外径の直上位置より外側（幅広側面部側）に設けるものであり、このような位置に設けることにより図６に示すものとほぼ同様に蒸気通路４２の壁面が端部側蒸気排出口４１内に位置することになり、蒸気通路４２内の水が蒸気排出口４１より出やすくなる。
【００３５】
なお、端部側蒸気排出口４１を蒸気通路４２の端部より外側に設ける場合、端部側蒸気排出口４１が凹部４３の外側に飛び出し外観を悪くすることが考えられる。そのような弊害を防止するものを図６に示す。この変形例は、端部側蒸気排出口４１を図４（Ａ）に示すものと同じにし、端部側蒸気排出口４１の直下の蒸気通路４２の肉厚を図に示すようにｄだけ厚くするものである。このように端部側蒸気排出口４１の直下の蒸気通路４２の肉厚をｄだけ厚くすることにより、端部側蒸気排出口４１の直下の蒸気通路４２の壁面が図で黒塗りで示すように三日月状に盛り上がるため内部の水が排出され易くなる。
【００３６】
また、端部側蒸気排出口４１は、円形のものとして説明したが、楕円形或いは矩形等であってもよい。
【００３７】
符号４５は、電源スイッチでもあるシーソースイッチである。シーソースイッチ４５は、両端にオンとオフとを有しオン位置が少しでも離れるとオフになるシーソー状に作動するスイッチであり、図２に示すように加湿器２０の倒れやすい面、即ち、幅広側面部側であって加湿器２０の中央水平線であるセンターラインより下側に設けられる。なお、加湿器２０は幅広側面部側のどちらに倒れるか分からないため、幅広側面部側の同じ位置に設けるとよい。その場合、どちら側に倒れたとしても通電がオフするように公知の３路タイプのものを用いる。
【００３８】
なお、シーソースイッチ４５は、水タンク２２の下方に設けるとよい。シーソースイッチ４５は幅広側面部に対し直交する方向から押すことになるため、重い重量の水タンク２２の下方に設けることにより、スイッチを操作する際加湿器２０を押さえておく必要がなくなる。
【００３９】
このようにシーソースイッチ４５を配置することにより、加湿器２０が転倒した場合、図７に示すようにシーソースイッチ４５が下になり、重さで押されるためスイッチはオフに切り替わり通電がオフする。それとともに図に示すように端部側蒸気排出口４１が水平位置より下になるためボイラー２３内の水Ｗのすべては矢印で示すように即座に排出される。このように、端部側蒸気排出口４１とシーソースイッチ４５との２重安全装置にすることにより、どちらかの安全装置に異常が生じたとしても電気ヒータ３６への通電オフがより確実になる。
【００４０】
ところで、両幅広側面部側のそれぞれにシーソースイッチ４５を設けることはそれだけコストアップになる。また、加湿器２０の作動中に加湿器２０が転倒する事故は、人等が歩いている時に不注意に電源コード４６を引っ掛けて引き起こす場合が多い。これらのことを踏まえ、どちらかの幅広側面部側のセンターラインより下側にシーソースイッチ４５を設けるとともに、図３に示すように電源コード４６を加湿器２０の対向する両幅広側面部の中央垂直面を基準にして、シーソースイッチが設けられる領域と反対の領域に電源コードを設ける。
【００４１】
このような位置関係にシーソースイッチ４５と電源コード４６とを設けることにより、人等が不注意に電源コード４６を引っ掛けて加湿器２０を倒したとしてもシーソースイッチ４５が下側になるため、安全装置として充分機能する。そして、このような形態にすることによりシーソースイッチ４５を１個にできる。なお、シーソースイッチ４５は、単独の安全装置として用いても良いが、上述した端部側蒸気排出口４１とシーソースイッチ４５との２重安全装置として機能させるとよい。
【００４２】
また、前記水溜め部２８ａにはフロート式満水スイッチ５０を設け、他の安全装置として利用することができる。フロート式満水スイッチ５０を図８〜図１１に示す。図８及び図９にその一例を示し、図１０及び図１１に他の例を示す。フロート式満水スイッチ５０は、フロート５１及びフロート支持台５２とからなる。
【００４３】
前記フロート５１は、水溜め部２８ａ内の水位に応じて上下動する中央部が中空で肉厚のリング状部材で、その中央部はフロート支持台５２の支柱５２ｂに上下動自在に支持され、内部には肉薄のリング状の磁石５３が配置される。
【００４４】
前記フロート支持台５２は、その下端部に位置するフランジ５２ａと該フランジ５２ａの中央から立設する下方が開口した中空で且つテーパー状の支柱５２ｂからなり、支柱５２ｂの頂部にはストッパー板５４が水平にビス５５により取り付けられ、更に、支柱５２ｂの中空部には、リードスイッチ５６が取り付けられる。このリードスイッチ５６は、フロート５１に内設される磁石５３が近接すると接触し電気ヒータ３６への通電をオンし、磁石５３が離れると離間し電気ヒータ３６への通電をオフする機能を有している。
【００４５】
フロート式満水スイッチ５０のフロート５１は、水溜め部２８ａ内に水がないときには図８で破線で示す下動位置（ハ）にあり、リードスイッチ５６は離間し電気ヒータ３６への通電をオフする。水溜め部２８ａ内の水位が満水状態のＨになると、フロート５１は図８で実線で示す上動位置（イ）になり、リードスイッチ５６は接触し電気ヒータ３６への通電をオンする。
【００４６】
そして、加湿器２０が転倒したり、或いは水溜め部２８ａ内の水位が満水Ｈ以上のオーバーフロー状態になると、フロート５１は図８で破線で示す（ロ）位置、即ち、フロート５１の上面がストッパー板５４に当接する転倒位置或いはオーバーフロー位置（ロ）になり、リードスイッチ５６は離間し電気ヒータ３６への通電をオフする。このように、フロート式満水スイッチ５０は、ボイラー２３に水がないときの空焚きを防止する安全装置、オーバーフローに対する安全装置及び加湿器２０の転倒時の安全装置としての機能を有している。
【００４７】
加湿器２０の転倒時のフロート５１の状態を図９により説明する。加湿器２０が転倒すると、転倒時の衝撃によりフロート５１は図９の転倒位置１（ロ）（場合によっては転倒位置２（ハ））に強制的に移動される。フロート５１の転倒位置１（ロ）或いは転倒位置２（ハ）は、電気ヒータ３６への通電がオフされる位置であり、電気ヒータ３６への通電が短時間で且つより確実にオフされる。この場合、支柱５２ｂがテーパー状であるとフロート５１の転倒位置１（ロ）への移動が良好になる。しかしながら、支柱５２ｂは必ずしもテーパー状である必要はなく、同径のものであってもよい。
【００４８】
図１０及び図１１に他の例を示す。フロート式満水スイッチ６０は、フロート６１及びフロート支持台６２とからなる。
【００４９】
前記フロート６１は、水溜め部２８ａ内の水位に応じて上下動する中央部が中空で肉厚のリング状部材で、更に中央の中空部にはリング状の中空室６８が形成される。そして、その中央部はフロート支持台６２の支柱６２ｂに上下動自在に支持され、前記中空室６８には肉薄のリング状の磁石６３が上下動自在に配置される。
【００５０】
前記フロート支持台６２は、その下端部に位置するフランジ６２ａと該フランジ６２ａの中央から立設する下方が開口した中空で且つ同径の支柱６２ｂからなり、支柱６２ｂの頂部にはストッパー板６４が水平にビス６５により取り付けられ、更に、支柱６２ｂの中空部には、リードスイッチ６６が取り付けられる。このリードスイッチ６６は、フロート６１に内設される磁石６３が近接すると接触し電気ヒータ３６への通電をオンし、磁石６３が離れると離間し電気ヒータ３６への通電をオフする機能を有している。
【００５１】
フロート式満水スイッチ６０のフロート６１は、水溜め部２８ａ内に水がないときには図１０で破線で示す下動位置にあり、リードスイッチ６６は離間し電気ヒータ３６への通電をオフする。水溜め部２８ａ内の水位が満水状態のＨになると、フロート６１は図１０で実線で示すフロート６１の上面がストッパー板６４に当接する上動位置になり、リードスイッチ６６は接触し電気ヒータ３６への通電をオンする。
【００５２】
加湿器２０の転倒時の磁石６３の状態変化を図１１により説明する。加湿器２０の作動中に加湿器２０が転倒するということはフロート６１が図で示す上動位置にある時からの状態変化になる。即ち、加湿器２０の作動中に加湿器２０が転倒すると転倒時の衝撃によりフロート６１はストッパー板６４方向への力を受けるが、フロート６１は既にストッパー板６４に当接しているためそれ以上の上動はなく、代わってフロート６１の中空室６８に収納されるリング状の磁石６３がストッパー板６４方向に押し上げられ、図１１に示す位置に移動する。その結果、リードスイッチ６６は離間し電気ヒータ３６への通電を短時間で且つより確実にオフする。
【００５３】
この例のフロート式満水スイッチ６０は、ボイラー２３に水がないときの空焚きを防止する安全装置及び加湿器２０の転倒時の安全装置としての機能を有することになる。なお、支柱６２ｂは必ずしも同径である必要はなく、テーパー状のものであってもよい。
【００５４】
上記フロート式満水スイッチ５０、６０は、単独の安全装置として用いても良いが、上述した幅広側面部側であって加湿器２０の中央水平線であるセンターラインより下側に設けられるシーソースイッチ４５、或いは上述した端部側蒸気排出口４１と併用するとよい。
【００５５】
更に、上述した端部側蒸気排出口４１及びシーソースイッチ４５との３者併用により、加湿器２０の転倒時の安全性をより高めることができる。
【００５６】
上記実施例においては、蒸気発生手段として、電気ヒータにより水を加熱沸騰させて蒸気を発生させるボイラータイプのものを採用しているが、超音波発振器を用いて蒸気を発生させるタイプのものとすることもできる。
【図面の簡単な説明】
【００５７】
【図１】本願発明の加湿器の断面図
【図２】本願発明の加湿器の側面図
【図３】本願発明の加湿器の背面図
【図４】本願発明の蒸気排出筒の平面図
【図５】本願発明の加湿器転倒状態の蒸気排出筒の断面図
【図６】本願発明の他の蒸気排出筒の一部平面図
【図７】本願発明の加湿器転倒状態の正面図
【図８】本願発明のフロートスイッチの上下動位置等を示す拡大断面図
【図９】本願発明のフロートスイッチの転倒状態を示す拡大断面図
【図１０】本願発明の他のフロートスイッチの上動位置を示す拡大断面図
【図１１】本願発明の他のフロートスイッチの転倒状態を示す拡大断面図
【図１２】従来の加湿器の断面図
【図１３】従来の加湿器の平面図
【符号の説明】
【００５８】
２０…加湿器                  ２１…加湿器本体
２２…水タンク                ２３…ボイラー
２４…上カバー部材            ２５…下カバー部材
２６…ボルト装着筒            ２７…水供給部
２８…通水路                  ２８ａ…水溜め部
２８ｂ…逆流防止手段          ２９…給水口
３０…スプリング              ３１…逆止弁
３２…キャップ                ３３…中心突起
３４…突起                    ３５…蒸気皿
３５ａ…熱盤                  ３６…電気ヒータ
３７…蒸気排出筒              ３７ａ…カバー部
３７ｂ…筒部                  ３８…延設部
３９…サーモスタット          ４０…リセットスイッチ
４１…端部側蒸気排出口        ４１ａ…中央側蒸気排出口
４２…蒸気通路                ４３…凹部
４５…シーソースイッチ        ４６…電源コード
５０…フロート式満水スイッチ  ５１…フロート
５２…フロート支持台          ５２ａ…フランジ
５２ｂ…支柱                  ５３…磁石
５４…ストッパー板            ５５…ビス
５６…リードスイッチ          ６０…フロート式満水スイッチ
６１…フロート                ６２…フロート支持台
６２ａ…フランジ              ６２ｂ…支柱
６３…磁石                    ６４…ストッパー板
６５…ビス                    ６６…リードスイッチ
６８…中空室
【図１】
0004692380.tif 000002
【図２】
0004692380.tif 000003
【図３】
0004692380.tif 000004
【図４】
0004692380.tif 000005
【図５】
0004692380.tif 000006
【図６】
0004692380.tif 000007
【図７】
0004692380.tif 000008
【図８】
0004692380.tif 000009
【図９】
0004692380.tif 000010
【図１０】
0004692380.tif 000011
【図１１】
0004692380.tif 000012
【図１２】
0004692380.tif 000013
【図１３】
0004692380.tif 000014